(57)【要約】      （修正有）【課題】押しやすく、間違った操作が行われにくいボタン付き機器および電子時計を提供する。【解決手段】電子時計１は、所定の表示を行う液晶ディスプレイ５と、液晶ディスプレイ５の下側に配置される複数のボタンである、サイドボタン６ａ〜６ｄと、大ボタン７と、小ボタン８とを備えている。各ボタンの面積は、使用頻度が最も高い大ボタン７が最も大きい。【選択図】図１
2019168332.tif 000002
【特許請求の範囲】
【請求項１】
ボタン付き機器であって、
所定の表示を行う表示部と、
前記表示部の下側に配置される複数のボタンとを備え、
前記各ボタンの面積は、使用頻度が最も高いボタンが最も大きい、ことを特徴とするボタン付き機器。
【請求項２】
前記各ボタンのうち少なくとも一つは、下底よりも上底が長い逆台形形状である、ことを特徴とする請求項１記載のボタン付き機器。
【請求項３】
前記表示部の上縁に沿って、前記表示部よりも高い上側ガード部が設けられているとともに、前記表示部の下縁に沿って、前記表示部と各前記ボタンとの間に前記表示部よりも高い下側ガード部が設けられている、
ことを特徴とする請求項２に記載のボタン付き機器。
【請求項４】
前記上，下両側ガード部は、前記ボタンよりも高く、
前記下側ガード部は、前記上側ガード部よりも高い、
ことを特徴とする請求項３に記載のボタン付き機器。
【請求項５】
前記下側ガード部は、前記表示部の下縁側の湾曲形状に沿って、湾曲形成されていることを特徴とする請求項３に記載のボタン付き機器。
【請求項６】
前記下側ガード部は、前記逆台形形状のボタンと他のボタンとの間に配置された縦ガード部と一体に形成されていることを特徴とする請求項３に記載のボタン付き機器。
【請求項７】
前記縦ガード部は、逆台形形状の前記ボタンの側縁に沿って、所定角度だけ左右方向に傾斜して配置されていることを特徴とする請求項６記載のボタン付き機器。
【請求項８】
機器本体の裏蓋と平行な前側基準面に対するボタン配置部の傾斜角度は、前記前側基準面に対する上側ガード部の固着面の傾斜角度よりも大きくなるように設定されている、ことを特徴とする請求項３記載のボタン付き機器。
【請求項９】
請求項１から８のうち何れか一項に記載のボタン付き機器として構成されていることを特徴とする電子時計。
【請求項１０】
機器本体を手首に装着するベルト部を備え、
前記機器本体の前記ベルト部が接続されている部分と、前記表示部との間で、前記機器本体の表面側を前記表示部の表面から傾斜させたボタン配置部を設けて、前記各ボタンが配設されている、ことを特徴とする請求項９に記載の電子時計。
【発明の詳細な説明】
【技術分野】
【０００１】
本発明は、ボタン付き機器および電子時計に関する。
【背景技術】
【０００２】
従来のボタン付き機器としては、腕時計型情報機器のように、装置本体の前面に設けられた表示部の上下に、使用頻度の高い押しボタンスイッチをそれぞれ分けて、配置しているものが知られている（例えば特許文献１等参照）。
このようなものでは、ストップウォッチのスタート・ストップ機能およびラップ・リセット機能が前面の表示部の上または下（時計の１２時方向または６時方向ともいう）のボタンに割振られている。
そして、ユーザは、ランニングしている間に、ラップ・リセットボタンを操作して、所望の時間計測を行う。
【先行技術文献】
【特許文献】
【０００３】
【特許文献１】特開２００４−８１７４５号公報
【発明の概要】
【発明が解決しようとする課題】
【０００４】
しかしながら、ユーザは、ランニング中に、ボタンの位置を見て確認することなく、触れた感覚に基づいて押圧する場合がある。このような場合、指に触れた押しやすいボタンを間違って押す可能性がある。たとえば、ラップを計測したいのに、表示部の下側等の押しやすい位置にあるスタート・ストップボタンを押して計測を止めてしまう可能性があった。
また、表示部の下側の押しやすい一か所に、複数のボタンをまとめると、さらに一つのボタンが小さくなり、隣接する別のボタンを間違えて押してしまう可能性が増大する。
【課題を解決するための手段】
【０００５】
本発明の押しボタン付き機器は、ボタン付き機器であって、所定の表示を行う表示部と、表示部の下側に配置される複数のボタンとを備え、各ボタンの面積は、使用頻度が最も高いボタンが最も大きい、ことを特徴としている。
【発明の効果】
【０００６】
本発明によれば、押しやすく、間違った操作が行われにくいボタン付き機器および電子時計が提供される。
【図面の簡単な説明】
【０００７】
【図１】本発明の実施形態１にかかるボタン付き機器としての電子時計で、図２中矢視Ｉ方向から見た電子時計の正面図である。
【図２】実施形態１の電子時計の全体の構成を説明する側面図である。
【図３】実施形態１の電子時計で、図２中矢視ＩＩＩ方向から見た電子時計の下側面図である。
【図４】実施形態１の電子時計で、図２中矢視ＩＶ方向から見た電子時計の斜視図である。
【図５】実施形態１の電子時計で、図２中Ｖ−Ｖ線に沿った位置での断面図である。
【図６】実施形態１の電子時計で、図１中ＶＩ−ＶＩ線に沿った位置での断面図である。
【図７】電子時計を用いて、ラップ等を計測している様子を示す概念図である。
【図８】本発明の実施形態２にかかるボタン付き機器としての電子時計で、図９中矢視ＩＸ方向から見た電子時計の正面図である。
【図９】実施形態２の電子時計の全体の構成を説明する側面図である。
【図１０】実施形態２の電子時計で、図９中矢視Ｘ方向から見た電子時計の下側面図である。
【図１１】実施形態２の電子時計で、図９中矢視ＸＩ方向から見た電子時計の斜視図である。
【図１２】実施形態２の電子時計で、図９中ＸＩＩ−ＸＩＩ線に沿った位置での断面図である。
【図１３】実施形態２の電子時計で、図８中ＸＩＩＩ−ＸＩＩＩ線に沿った位置での断面図である。
【発明を実施するための形態】
【０００８】
以下、本発明の一実施形態について、適宜図面を参照しながら説明する。同一の構成要素には同一の符号を付し、重複する説明を省略する。方向を説明する際には、特に示さない限り、基本的にユーザから見た前後，左右あるいは上下に基づいて説明する。また、「３時」「６時」「９時」「１２時」の方向は、表示部に向かって「右側縁」「下側縁」「左側縁」「上側縁」の方向と同義である。そして、前後方向は高さ方向と同義である。
【０００９】
［実施形態１］
図１〜図７は、この実施形態１の手首に装着されるボタン付き機器としての電子時計１を示すものである。
まず、図１を参照して構成を説明すると、この実施形態１の電子時計１は、例えばデジタル方式の腕時計型の電子時計である。しかしながら、特にこれに限らず、針式（アナログ方式）の腕時計型の電子時計であってもよいし、その両方を備えていてもよい。
この電子時計１は、ベルト部９を用いて手首に装着される機器本体１０と、機器本体１０のケース２と、ケース２の内部に配置される基板３（図５，図６参照）とを備えている。
【００１０】
図２に示すように、ケース２は、高さ方向に分割可能な表側ケース２ａ，筺体２ｂと、筺体２ｂの裏面側に開口形成されている開口部を閉塞する裏蓋２ｃとを有する。
図５に示すように基板３は、ケース２の内部に設けられている。そして、基板３には、電力を供給するバッテリ等を含む電源部が一体または別体で設けられている。また、基板３には、操作部６の各ボタン等の押圧により、ｏｎ，ｏｆｆ動作可能なマイクロスイッチ、マイクロコンピュータおよび振動子等が搭載されている。これにより、基板３は、時刻を計時する電子回路を構成している。
【００１１】
さらに、図１に示すように、この電子時計１は、ケース２の内部に設けられて、計時された時刻を表示する液晶ディスプレイ５と、ボタン等を有する操作部６と、ケース２をユーザの手首に装着するベルト部９とを備えている。ベルト部９は、ケース２の１２時方向および６時方向から可撓性を有するバンド９ａおよびバンド９ｂをそれぞれ備えている。バンド９ａおよびバンド９ｂは、ユーザの手首の周囲に環状に連結されて、機器本体１０を保持する。
【００１２】
液晶ディスプレイ５は、正面視略円形のカバーガラス５ｇで覆われている。なお、電子時計１の表示部は、液晶ディスプレイ５に限らず、例えば、針式（アナログ方式）の表示としてもよいし、これら両方を備えていてもよい。また、カバーガラス５ｇは、ガラスに限られず、例えばプラスチックやフィルムで構成されていてもよい。
【００１３】
操作部６は、ケース２の側面部に突設されたサイドボタン６ａ〜６ｄと、液晶ディスプレイ５の６時方向に配置される大ボタン７，小ボタン８とを有している。このうち、大，小ボタン７，８は、前側基準面５ｂから所定の角度傾斜したボタン配置部１４の平坦部（以下、ボタン配置部１４ともいう）に設けられている。
図１に示すように、大ボタン７は、下底７ａの長さＷ１よりも上底７ｂの長さＷ２が長い（Ｗ１＜Ｗ２）、逆台形形状を呈している。
この実施形態１の大ボタン７は、下底７ａの長さＷ１が６．２５ｍｍ、上底７ｂの長さＷ２が１０．７５ｍｍ、上下方向の寸法ｈが４．７５ｍｍである。また、小ボタン８は、下底の長さが７．２５ｍｍ、上底の長さが８．７５ｍｍ、上下方向の寸法が４．２５ｍｍである。
【００１４】
また、すなわち、使用頻度が高い（操作回数が多い）ほど、ボタンの大きさ（面積、体積）を大きくし、使用頻度が低い（操作回数が少ない）ほど、ボタンの大きさを小さくする。ここで、ボタンの大きさは、使用頻度の増減とともに比例関係を有して増大させてもよいし、非線形の関係となるようにしてもよい。
たとえば、使用頻度が小ボタン８の１０倍であるからといって、大ボタン７の大きさを１０倍にする必要はない。ここでは、小ボタン８の１．０１〜１．５倍程度、好ましくは、１．１０〜１．３５倍程度の大きさとなるように、大ボタン７の押圧面の面積が設定されている。
そして、この実施形態１では、ストップウォッチのスタート・ストップ機能を小ボタン８に割当て、ランニング中、比較的多く使用するラップ・リセット機能を大ボタン７に割当てている。
【００１５】
図５，図６に示すように、大ボタン７と小ボタン８とは、それぞれ裏面側に押圧ピン３００の一方が一体に嵌め込まれている。押圧ピン３００は、半球状の先端３０１をケース２内に突出させている。
これらの大ボタン７，小ボタン８は、押圧ピン３００の周囲に設けられたバネ３０３およびゴムブッシュ３０４によって、それぞれボタン配置部１４の平坦部に対して、直交する方向かつ離反する方向に押され ている。
【００１６】
大ボタン７，小ボタン８の押圧により、先端３０１は、ケース２内に収容されている基板３のそれぞれのマイクロスイッチ３ａに当接する。これにより、各ボタンに割当てられたそれぞれの機能をｏｎ，ｏｆｆさせることができる。
【００１７】
そして、図１に示すように、ケース２の上面部には、カバーガラス５ｇの上縁５ｃに沿って、カバーガラス２ｇよりも高い（図２参照）上側ガード部１１が、平坦な固着面１５から突き出した状態で設けられている。この実施形態１の上側ガード部１１は、鉛直断面の形状を高さ方向に向けた凸形状である。さらに、バンド９ａの幅方向寸法とほぼ同じ横幅方向寸法でバンド９ａの接続部とカバーガラス５ｇの上縁５ｃとの間に円弧状に設けられている。
また、カバーガラス５ｇの下縁に沿って、カバーガラス５ｇと大，小ボタン７，８との間に下側ガード部１２が設けられている。図１に示すように、下側ガード部１２は、液晶ディスプレイ５の下縁側５ａの湾曲形状に沿って、湾曲形成されていて、カバーガラス５ｇよりも高い（図２参照）。ここでは、高さ方向は、機器本体１０の厚さ方向と同じであり、かつ図１の奥行き方向である。
【００１８】
さらに、この実施形態１では、図１に示すように、下側ガード部１２の下縁からバンド９ｂ方向に向けて、大，小ボタン７，８の間を区画する縦ガード部１３が設けられている。この縦ガード部１３は、逆台形形状の大ボタン７と小ボタン８との間に配置されている。そして、この実施形態１の縦ガード部１３は、下側ガード部１２と一体に形成されて、高さを揃えることにより、正面視略Ｔ字状を呈している。
図４に示すように、この実施形態１の縦ガード部１３は、逆台形形状の大ボタン７の側縁７ｃに沿って倒れるように、所定角度α１だけ左方向に傾斜して配置されている。この実施形態１では、所定角度α１＝約５度である。
【００１９】
図２に示すように、カバーガラス５ｇの前側基準面５ｂを高さの基準とすると、上側ガード部１１の高さｈ２，下側ガード部１２の高さｈ３は、大，小ボタン７，８の高さｈ１よりも高い（ｈ２，ｈ３＞ｈ１）。下側ガード部１２の高さｈ３は、上側ガード部１１の高さｈ２よりも高い（ｈ３＞ｈ２）。
【００２０】
また、この実施形態の機器本体１０では、図２に示すように、カバーガラス５ｇの前側基準面５ｂに対する大，小ボタン７，８のボタン配置部１４の傾斜角度βは、同じ高さで比較した際に、前側基準面５ｂに対する上側ガード部１１の固着面１５の傾斜角度γよりも大きい（β＞γ）（たとえばβ＝約４０度、γ＝約３８度等）。
ここで、前側基準面５ｂとは、カバーガラス５ｇの周囲に位置する平坦な枠部（図４参照）の前端縁を含む平面である。この実施形態の電子時計１では、前側基準面５ｂは、カバーガラス５ｇの凸部２ｈ（図２参照）を含まない表面とほぼ等しい。なお、前側基準面５ｂは、機器本体１０の裏面側に位置する裏蓋２ｃと平行である。
【００２１】
そして、図２では、理解の容易の為、ボタン配置部１４の傾斜角度βを機器本体１０の中心線で線対称に上側ガード部１１側に写して、二点鎖線で表示している。これにより、固着面１５の傾斜角度γとボタン配置部１４の傾斜角度βとを比較すると、前側基準面５ｂから傾斜角度βは、同じ高さで、傾斜角度γよりも大きく設定（β＞γ）されていることがわかる。 
【００２２】
次に、この実施形態の電子時計１の作用効果について説明する。
図７に示す実施形態１の電子時計１は、機器本体１０を手首２０に装着するベルト部９が接続されている接続部分２１と、カバーガラス５ｇとの間にボタン配置部１４が設けられている。図６に示すように、ボタン配置部１４は、前側基準面５ｂから所定の角度β、傾斜していて、使用頻度に応じて大きさを異ならせた大，小ボタン７，８が配置されている。
この実施形態１のボタン配置部１４に並べて設けられた大，小ボタン７，８には、それぞれスタート・ストップ機能およびラップ・リセット機能が割振られている。ランニング中、何度もラップを計測することを考慮して、スタート・ストップ機能よりも使用頻度の多いラップ・リセット機能が大ボタン７に割振られている。
このため、ユーザは、ランニング中でも、容易に途中のラップを計測するための操作を大ボタン７の押圧操作で行うことができる。しかも、隣接する小ボタン８は、大ボタン７とは大きさおよび形状が異なり、大ボタン７に比べて小さい。大ボタン７は、小ボタン８に比べて、押圧される表面の面積が大きく、しかも下底よりも上底が長い逆台形形状である。このため、ユーザは、指で触れた感覚の相違から、目視して確認しなくても、大，小ボタン７，８を識別できる。したがって、押しやすく、間違った操作が行われにくい。
【００２３】
図１に示すように、大ボタン７は、下底７ａの長さＷ１よりも上底７ｂの長さＷ２が長く（Ｗ１＜Ｗ２）、逆台形形状を呈している。
このため、大ボタン７は、下側ガード部１２に近づくにつれて、左，右の横幅が大きくなり、指からの受圧面積を増大させる。よって、ストッパとなる下側ガード部１２の近傍では、上底７ｂの長さＷ２が最大となるため、さらに大ボタン７が押しやすくなる。
また、大ボタン７は、下側ガード部１２に近づくにつれて、大きくなり、隣接配置された小ボタン８との大きさの差異が明確になる。このため、ラップ・リセットボタンであることが容易に識別できて分かりやすくなる。
【００２４】
図２に示すように、表側ケース２ａには、前側基準面５ｂよりも高い上側ガード部１１が設けられている。また、下側ガード部１２は、カバーガラス５ｇの下縁側５ａの湾曲形状に沿って、湾曲形成されていて、カバーガラス５ｇよりも高い。
このため、上，下両側ガード部１１，１２が衝突する物体からカバーガラス５ｇを保護して、カバーガラス５ｇを含む表示部が破損するおそれを低減させることができる。特に、大，小ボタン７，８の操作の際には、指が直接、接触して汚れないように、上，下両側ガード部１１，１２によってカバーガラス５ｇを保護することができる。
【００２５】
そして、大，小ボタン７，８の操作の際には、図７に示すように、ユーザは、上側ガード部１１の凸状形状に人指し指または、中指〜小指等（以下、単に指先と記す）をかけて添えることができる。これにより、ボタンの押圧で機器本体１０を移動させないように反対側から固定することができる。
このため、ランニング中でも安定して、大，小ボタン７，８の操作を行うことができる。
【００２６】
実施形態１の電子時計１は、上側ガード部１１に指先を添えて、安定した状態で、大，小ボタン７，８の位置を確認して識別できる。そして、指先と親指とを近接させる方向（間で押潰す方向）に力を加えて、確実に大ボタン７または小ボタン８を押す操作が行える。
また、下側ガード部１２は、カバーガラス５ｇの下縁側５ａの湾曲形状に沿って、比較的高く湾曲形成されている。このため、下側ガード部１２に干渉して、親指のカバーガラス５ｇ方向への移動は抑制される。したがって、押圧する大体の位置がつかめ、大ボタン７または小ボタン８を押下げる方向に力を加えやすい。
【００２７】
さらに、この実施形態１の上側ガード部１１は、バンド９ａの幅方向寸法とほぼ同じ横幅方向寸法で、カバーガラス５ｇの上縁５ｃに沿って延設されている。このため、押したいボタンと、カバーガラス５ｇを挟んで反対位置にある上側ガード部１１に指先を添えて、ケース２を両側から保持する方向に力を加え、安定した状態で所望のボタンの操作を行うことができる。
この実施形態１では、バンド９ａの幅方向寸法とほぼ同じ横幅寸法で、左，右に大，小ボタン７，８が並んでいる。このように、複数のボタンが下縁側５ａに沿って並んでいる場合でも、上側ガード部１１は、カバーガラス５ｇを挟んで各大，小ボタン７，８の反対位置に存在する。
このため、どの大，小ボタン７，８を操作する際にも、上側ガード部１１に指先をかけて、操作の補助に用いることができる。
【００２８】
そして、この実施形態１では、図２に示すように、上，下両側ガード部１１，１２の高さｈ２，ｈ３は、大，小ボタン７，８の高さｈ１よりも高い（ｈ２，ｈ３＞ｈ１）。さらに、下側ガード部１２の高さｈ３は、上側ガード部１１の高さｈ２よりも高い（ｈ３＞ｈ２）。
このため、下側ガード部１２の高さｈ３は、大，小ボタン７，８の高さｈ１および上側ガード部１１の高さｈ２よりもさらに高い。
したがって、下側ガード部１２が衝突するものから大，小ボタン７，８を保護して、大，小ボタン７，８の誤操作が生じないようにすることができる。また、大，小ボタン７，８の破損も減少する。
【００２９】
さらに、カバーガラス５ｇの方向に親指が移動する際、大，小ボタン７，８を超えても、下側ガード部１２に親指が当接して移動が阻害される。このため、大，小ボタン７，８の位置が分かりやすくなるとともに、大，小ボタン７，８を押下げる方向の力を加えやすくなる。
また、大，小ボタン７，８は、ボタン配置部１４からの凸設高さをある程度の寸法を確保することができる。このため、造形の自由度を向上させて、大ボタン７の大きさや高さを増大させることにより、識別率をさらに向上させることができる。
【００３０】
図１に示すように、下側ガード部１２は、カバーガラス５ｇの下縁側５ａの湾曲形状に沿って、湾曲形成されている。
このため、大，小ボタン７，８の上底７ｂ等を下側ガード部１２の湾曲形状に沿わせて延設でき、さらに面積を拡大するとともに、斜めに押圧される大，小ボタン７，８の受圧面積を増大させて、さらに押しやすくすることができる。
【００３１】
そして、図１に示すように、縦ガード部１３が下側ガード部１２と一体となって、正面視略Ｔ字状を呈している。このため、図７に示すように、大ボタン７を操作する際に、縦ガード部１３と下側ガード部１２とによって形成される入り隅の方向に親指が沿ってガイドされる。したがって、小ボタン８に触れないようになるため、大ボタン７を操作しやすくなる。
このように、大ボタン７と小ボタン８との間に配置された縦ガード部１３によって、大ボタン７と小ボタン８とが区画されている。このため、大ボタン７と小ボタン８とを間違えて誤操作するおそれがさらに減少する。
【００３２】
しかも、縦ガード部１３は、下側ガード部１２と一体となって、正面視略Ｔ字状を呈している。このため、単独で設けられる場合に比して耐久性が良好である。特に、縦ガード部１３は、下側ガード部１２と一体となっていない場合に比して、左，右倒れ方向の強度が向上している。
たとえば、大ボタン７は、操作頻度が高く、ボタン操作の際に頻繁に指先で探られる。しかしながら、縦ガード部１３は、下側ガード部１２と一体となって正面視略Ｔ字状を呈している。このため、縦ガード部１３は、倒れ方向のせん断力が増大して、隣接配置された大ボタン７または小ボタン８の操作時の入力の際にも、形状を保持するための十分な強度を発揮することが出来る。
【００３３】
さらに、図４に示すように、縦ガード部１３は、逆台形形状の大ボタン７の側縁７ｃに沿って、所定角度α１だけ左方向に傾斜して配置されている。
このため、大ボタン７の上底７ｂの長さを大きく設定して、大ボタン７の面積を拡大する等、造形の自由度を向上させることができる。
また、縦ガード部１３が所定角度α１だけ左方向に傾斜することにより、小ボタン８の面積を減少させることができ、誤操作をさらに抑制できる。
【００３４】
また、図２に示すように、前側基準面５ｂからの傾斜角度βは、傾斜角度γよりも大きい（β＞γ）。このため、図７に示すように、人差し指と親指とを近接させる方向（間で押潰す方向）に力を加える際、大ボタン７または小ボタン８の押込み方向を傾けて、カバーガラス５ｇの中心に向けやすい。
したがって、上側ガード部１１に添えられた指先と親指の腹との間で、機器本体１０を上下両側から押潰す方向に力を加えやすく、更に、安定したボタン操作が可能となる。
【００３５】
そして、図６に示すように、実施形態１の電子時計１では、ボタン配置部１４がカバーガラス５ｇの前側基準面５ｂから傾斜角度βだけ、傾斜している。ボタン配置部１４に装着されている大，小ボタン７，８は、押圧ピン３００の摺動方向に沿って斜めに押込まれる。
このため、さらに大，小ボタン７，８の表面の傾斜角度を傾けて、ボタン操作を行う親指の腹の角度に一致させることができる。このため、大，小ボタン７，８を押込む際に親指が滑りにくく、ボタン操作が行いやすくなる。
【００３６】
実施形態１の電子時計１では、バンド９ｂが接続されている部分と、表示部との間に、複数のボタンが設けられたボタン配置部１４を配置している。
そして、大，小ボタン７，８の、押込む方向をカバーガラス５ｇの中心方向に斜めに傾けて、上側ガード部１１に添えられた指先の方向に向けることができる。このため、人差し指と親指との間で、機器本体１０を上下両側から対向させて押潰すように力を加えやすく、更に、安定したボタン操作が可能となる。
【００３７】
また、実施形態１のボタン付き機器では、操作部６として、ケース２の側面部に設けられたサイドボタン６ａ〜６ｄに加えて、大ボタン７，小ボタン８を設けている。
このため、実施形態１のボタン付き機器は、各ボタンに異なる機能を割り振ることにより、サイドボタン６ａ〜６ｄのみの場合と比べて、さらに多数の機能の操作を行える。そして、実施形態１のボタン付き機器は、機能を増大させても、ボタンの間隔を狭める必要がない。また、実施形態１のボタン付き機器は、機能を増大させても、ボタンの大きさが小さくなることを抑制できる。
【００３８】
さらに、図６に示すようにベルト部９が接続されている接続部分２１と、カバーガラス５ｇとの間にボタン配置部１４が設けられている。たとえば、機器本体１０の側面方向から物体が衝突しても、大，小ボタン７，８は、ベルト部９および機器本体１０によって保護される。このため、ケース２の側面部に突設されたサイドボタン６ａ〜６ｄと比較して、破損する可能性を低くすることができる。
【００３９】
［実施形態２］
図８〜図１３は、この発明の実施形態２の手首に装着されるボタン付き機器としての電子時計２０１を示すものである。なお、前記実施形態１と同一乃至均等な部分については、同一符号を付して説明を省略する。
まず、構成上の相違点を説明すると、実施形態２の電子時計２０１は、図８に示すように、機器本体２１０のケース２０２内に設けられた液晶ディスプレイ２０５が正面視略太鼓型のカバーガラス２０５ｇによって覆われている。また、カバーガラス２０５ｇの外周縁に沿うように、表側ケース２０２ａ、上側ガード部２１１、下側ガード部２１２がそれぞれ設けられている。
【００４０】
電子時計２０１の操作部２０６は、実施形態１と同様に液晶ディスプレイ２０５の６時方向に配置される大ボタン２０７，小ボタン２０８を有している。そして、大ボタン２０７，小ボタン２０８は、前側基準面２０５ｂから所定の角度β２傾斜したボタン配置部２１４に設けられている（図１３参照）。このうち、大ボタン２０７は、下底２０７ａの長さＷ３よりも上底２０７ｂの長さＷ４が長い（Ｗ３＜Ｗ４）、逆台形形状を呈している。
この実施形態２において、大ボタン２０７は、下底２０７ａの長さＷ３は８．２５ｍｍ、上底２０７ｂの長さＷ４は１０．７５ｍｍ、上下方向の寸法ｈ４は４．２５ｍｍである。また、小ボタン２０８は、下底の長さが７．２５ｍｍ、上底の長さが７．７５ｍｍ、高さが４．２５ｍｍである。
そして、実施形態２では、ストップウォッチ機能のスタート・ストップ機能は、小ボタン２０８に割当てられている。さらに、ランニング中、比較的多く使用するストップウォッチ機能のラップ・リセット機能は、大ボタン２０７に割当てられている。
【００４１】
さらに、この実施形態２では、図８に示すように、逆台形形状の大ボタン２０７と小ボタン２０８との間に縦ガード部２１３が配置されている。縦ガード部２１３は、下側ガード部２１２の下縁からバンド９ｂの接続部分の方向に一体に設けられ、正面視略Ｔ字状となるように形成されている。そして、縦ガード部２１３によって、大，小ボタン２０７，２０８の間は、区画されている。
図１１に示すように、この実施形態２の縦ガード部２１３は、逆台形形状の大ボタン２０７の側縁２０７ｃに沿って、所定角度α２だけ左方向に傾斜して配置されている。
この実施形態２では、所定角度α２は約１０．１５１度である。
【００４２】
また、この実施形態２では、図９に示すように、カバーガラス２０５ｇの表面側の前側基準面２０５ｂを高さの基準とすると、上，下両側ガード部２１１，２１２の高さｈ６，ｈ７は、大，小ボタン２０７，２０８の高さｈ５よりも高い（ｈ６，ｈ７＞ｈ５）。さらに、下側ガード部２１２の高さｈ７は、上側ガード部２１１の高さｈ６よりも高い（ｈ７＞ｈ６）。
なお、図１３に示す実施形態２のボタン配置部２１４の傾斜角度β２は、実施形態１と同様に約４５度である。そして、図９に示す上側ガード部２１１が固着されている固着面２１５の傾斜角度と同じ高さで比較すると傾斜角度β２のほうが大きい。なお、傾斜角度β２は、上側ガード部２１１の固着面２１５の傾斜角度よりも大きければ、たとえば約４２度、約５０度等、固着面２１５の傾斜角度である４０度以上の角度であってもよい。
【００４３】
このように構成された実施形態２の電子時計２０１では、実施形態１の電子時計１の作用効果に加えて、さらに、液晶ディスプレイ２０５やカバーガラス２０５ｇの形状に合わせて、上側ガード部２１１、下側ガード部２１２、大ボタン２０７，小ボタン２０８の形状が決定される。
たとえば、図１と図８とを比較すると、縦ガード部２１３は、縦ガード部１３に比して大きな所定角度α２で左方向に傾斜している。このため、逆台形形状の大ボタン２０７は、上底２０７ｂの長さを小ボタン２０８方向に延長することができる。
【００４４】
また、下側ガード部１２よりも下側ガード部２１２の方が湾曲している。このため、実施形態２では、大ボタン２０７の上底７ｂを表側ケース２０２ａの上端面２０２ｄ方向に、さらに延長することができる。
したがって、上底２０７ｂと下底２０７ａとの長さの比、Ｗ４／Ｗ３がさらに大きくなる。そのため、押圧方向である下側ガード部１２側が広がった台形形状とすることが出来るので、大ボタン２０７をさらに押しやすくすることができる。
すなわち、大ボタン２０７，小ボタン２０８は、使用頻度に応じて、様々な形状や大きさとすることができる。
他の構成および作用効果については、前記実施形態１と同一乃至均等であるので、説明を省略する。
【００４５】
上述してきたように、この実施形態１，２の電子時計１，２０１は、使用頻度に応じて大きさの異なる大，小ボタン７，８および２０７，２０８が液晶ディスプレイ５，２０５の下側にまとめられて配置される。このため、上側に上側ガード部１１を設けて、指先を添えることにより、ボタンの押圧力を有効に受け止めさせることが出来るので、押しやすくなる。
また、複数のボタンをまとめて配置しても、使用頻度に応じて大きさが異なるため、識別しやすい。
【００４６】
本発明は、実施形態１，２に限定されるものではなく、種々の変形が可能である。上述した実施形態１，２は本発明を理解しやすく説明するために例示したものであり、必ずしも説明した全ての構成を備えるものに限定されるものではない。また、実施形態１，２の構成の一部を他の実施形態１，２の構成に置き換えることが可能であり、また、実施形態１，２の構成に他の実施形態１，２の構成を加えることも可能である。また、各実施形態１，２の構成の一部について削除し、若しくは他の構成の追加・置換をすることが可能である。上記実施形態１，２に対して可能な変形は、たとえば以下のようなものである。
【００４７】
この実施形態１，２のボタン付き機器では、ベルトで手首に装着する腕時計型の電子時計１，２０１を用いて説明してきたが特にこれに限らない。たとえば、実施形態１，２のボタン付き機器は、懐中時計型のストップウォッチや、ベルトで手首に装着する腕時計型の情報端末等、使用頻度に応じた大きさのボタンを備えたボタン付き機器であればよい。実施形態１，２のボタン付き機器は、形状、数量、材質および用途が特に限定されるものではない。
【００４８】
この実施形態１，２のボタン付き機器では、操作部６として、ケース２，２０２の側面部に設けられたサイドボタン６ａ〜６ｄと、表示部の６時方向のボタン配置部に配置される大ボタン７，小ボタン８または大ボタン２０７，小ボタン２０８とを有している。しかしながら、特にこれに限らず、たとえば、縦横２個ずつ合計４個等、ボタン配置部に３個以上の複数のボタンを配置してもよい。
この場合も、各ボタンに異なる機能を割り振ることにより、サイドボタン６ａ〜６ｄのみの場合と比べて、さらに多数の機能の操作を行うことができる。
【００４９】
また、大ボタン２０７と、小ボタン２０８との左，右の配置位置についても、実施形態１に限らず、大ボタン２０７が左側、小ボタン２０８が右側に配置されていてもよい。
【００５０】
さらに、大ボタン７，２０７、小ボタン８，２０８の大きさや形状についても、特に実施形態１，２に限定されるものではない。たとえば、小ボタンを丸型とする等、どのような形状や大きさのであっても、使用頻度に応じた大きさに設定されているものであれば、大，小ボタンの形状、数量および材質が特に限定されるものではない。
そして、上側ガード部１１の形状も、円弧状に限らず、上縁５ｃに沿って複数の上側ガード部１１が断続的に配置されていても、指先がかけやすい配置であればよい。
【００５１】
また、縦ガード部１３，２１３の角度α１，α２についても、特に実施形態１，２に限定されるものではない。たとえば、０．１度〜４５度等の間でどのような角度であってもよい。さらに、縦ガード部１３，２１３の高さが実施形態１，２に限定されるものではなく、どのような高さに設定されていてもよい。
そして、縦ガード部１３，２１３は、直線状でなくても、たとえば円弧状や、部分的に角度を変化させる曲線等で形成されていてもよい。また、縦ガード部１３，２１３は、大ボタン７，２０７と小ボタン８，２０８との間に設けられていれば、下側ガード部１２，２１２と一体に接続されていなくてもよい。すなわち、縦ガード部１３等の形状、数量および材質が実施形態１，２に限定されるものではない。
【００５２】
さらに、実施形態１，２では、ボタン配置部１４，２１４の傾斜角度βは、β＝約４０度に設定されているが特にこれに限らない。たとえば、β＝１０度〜８０度、さらに好ましくは、β＝３５度〜５５度の範囲など、前側基準面５ｂに対する上側ガード部１１の固着面１５の傾斜角度γよりも大きければ（β＞γ）、どのような角度であってもよい。
【００５３】
また、表示部は、液晶ディスプレイ５や針式の表示に限定されず、有機ＥＬディスプレイや無機ＥＬディスプレイなど、任意の表示方式であってもよい。
そして、カバーガラス５ｇ，２０５ｇは必須ではなく、ディスプレイの表面を露出させてもよい。
【符号の説明】
【００５４】
１，２０１    電子時計
２，２０２    ケース
３            基板
５，２０５    液晶ディスプレイ（表示部）
６，２０６    操作部
７，２０７    大ボタン
８，２０８    小ボタン
９            ベルト部
【図１】
2019168332.tif 000003
【図２】
2019168332.tif 000004
【図３】
2019168332.tif 000005
【図４】
2019168332.tif 000006
【図５】
2019168332.tif 000007
【図６】
2019168332.tif 000008
【図７】
2019168332.tif 000009
【図８】
2019168332.tif 000010
【図９】
2019168332.tif 000011
【図１０】
2019168332.tif 000012
【図１１】
2019168332.tif 000013
【図１２】
2019168332.tif 000014
【図１３】
2019168332.tif 000015